(57)【要約】  第１ファスニング装置（１００ａ）は、第１テープ部分（１２０ａ）と第１ファスニング部分（１１０ａ）とを備え、第１ファスニング部分（１１０ａ）は、第１側面（１１１ａ）と第２側面（１１２ａ）とを画成しており、第１ファスニング部分（１１０ａ）は、ファスニングエレメント（１３０ａ）を備え、ファスニングエレメント（１３０ａ）は、第１ファスニング装置（１００ａ）の縦方向に沿って配置されており、各ファスニングエレメント（１３０ａ）は、ピッチ距離だけオフセットされ、各ファスニングエレメント（１３０ａ）間にファスニングギャップ（１１６ａ）を画成しており、ファスニングエレメント（１３０ａ）の各々は、係合部分（１３３ａ、１３４ａ）を備え、ファスニングエレメント（１３０ａ）の各々は、ファスニングエレメント（１３０ａ）の突出中心線（５３０ａ）に関して非対称であり、第１ファスニング装置（１００ａ）は、第２ファスニング部分（１１０ｂ）を備える第２ファスニング装置（１００ｂ）に連結される構成である。
2019039388.tif 000002
【特許請求の範囲】
【請求項１】
ファスニングシステムであって、  第１ファスニング部分と前記第１ファスニング部分に連結された第１テープ部分とを備える第１ファスニング装置と、  第２ファスニング部分と前記第２ファスニング部分に連結された第２テープ部分とを備える第２ファスニング装置と、を備えており、  前記第１ファスニング部分は、第１側面と前記第１側面の反対側の第２側面とを画成するベースを備えており、  前記第１ファスニング部分は、前記第１ファスニング部分の前記ベースの前記第１側面から延出する複数のファスニングエレメントを備えており、  前記複数のファスニングエレメントは、前記第１ファスニング装置の縦方向に沿って縦方向に配置されており、  隣り合う各ファスニングエレメントは、ピッチ距離だけオフセットされているとともに、隣り合う各ファスニングエレメント間にファスニングギャップを画成して、前記第１ファスニング部分の複数のファスニングギャップを画成しており、  前記複数のファスニングエレメントの各々は、前記第１ファスニング装置の縦方向に平行な方向に拡張した係合部分を備えており、  前記第１ファスニング部分の前記第２側面は、複数の逃げ溝を画成しており、  前記複数の逃げ溝は、前記第１ファスニング装置の縦方向で前記第１ファスニング装置の前記第１ファスニング部分のファスニングエレメントと実質的に整列しており、  前記第２ファスニング部分は、第１側面と前記第１側面の反対側の第２側面とを画成するベースを備えており、  前記第２ファスニング部分は、前記第２ファスニング部分の前記ベースの前記第１側面から延出する複数のファスニングエレメントを備えており、  前記複数のファスニングエレメントは、前記第２ファスニング装置の縦方向に沿って縦方向に配置されており、  隣り合う各ファスニングエレメントは、ピッチ距離だけオフセットされているとともに、隣り合う各ファスニングエレメント間にファスニングギャップを画成して、前記第２ファスニング部分の複数のファスニングギャップを画成しており、  前記複数のファスニングエレメントの各々は、前記第２ファスニング装置の縦方向に平行な方向に拡張した係合部分を備えており、  前記第２ファスニング部分の前記第２側面は、複数の逃げ溝を画成しており、  前記複数の逃げ溝は、前記第２ファスニング装置の縦方向で前記第２ファスニング装置の前記第２ファスニング部分のファスニングエレメントと実質的に整列しており、  ここにおいて、前記第２ファスニング装置の前記第２ファスニング部分は、前記第２ファスニング部分の前記第１側面が前記第１ファスニング部分の前記第１側面に対面した時に前記第１ファスニング装置の前記第１ファスニング部分に締結する構成になっており、  前記第１ファスニング部分の前記複数のファスニングギャップの各々は、前記第２ファスニング部分の前記複数のファスニングエレメントの１つを係止自在に収容するサイズとなっており、  前記第２ファスニング部分の前記複数のファスニングギャップの各々は、前記第１ファスニング部分の前記複数のファスニングエレメントの１つを係止自在に収容するサイズとなっていることを特徴とする前記ファスニングシステム。
【請求項２】
前記第１ファスニング装置の前記第１テープ部分及び前記複数のファスニングエレメントは互いに一体的に形成されており、  前記第２ファスニング装置の前記第２テープ部分及び前記複数のファスニングエレメントは互いに一体的に形成されていることを特徴とする請求項１に記載のファスニングシステム。
【請求項３】
前記第１ファスニング装置の前記複数のファスニングエレメントは、前記第１ファスニング装置の縦方向で実質的に整列している第１列のファスニングエレメントを画成しており、  前記第２ファスニング装置の前記複数のファスニングエレメントは、前記第２ファスニング装置の縦方向で実質的に整列している第１列のファスニングエレメントを画成しており、  前記第１ファスニング装置は、前記第１ファスニング装置の縦方向で実質的に整列しており、前記第１ファスニング装置の前記第１列のファスニングエレメントと平行に位置する、第２列のファスニングエレメントを更に備えており、  前記第２ファスニング装置は、前記第２ファスニング装置の縦方向で実質的に整列しており、前記第２ファスニング装置の前記第１列のファスニングエレメントと平行に位置する、第２列のファスニングエレメントを更に備えていることを特徴とする請求項１に記載のファスニングシステム。
【請求項４】
前記第１ファスニング装置及び前記第２ファスニング装置の各々の前記第２列のファスニングエレメントにおける前記複数のファスニングエレメントの各々は、それぞれのファスニング装置の縦方向に平行な方向で、且つそれぞれのファスニング装置の前記第１列のファスニングエレメントにおける前記複数のファスニングエレメントの前記係合部分が拡張する方向とは反対方向に拡張した、係合部分を備えることを特徴とする請求項３に記載のファスニングシステム。
【請求項５】
前記複数のファスニングエレメントの各々は、前記ファスニングエレメントの突出中心線に関して非対称であることを特徴とする請求項１に記載のファスニングシステム。
【請求項６】
前記第１テープ部分及び前記第２テープ部分は、実質的に同一平面上にあることを特徴とする請求項１に記載のファスニングシステム。
【請求項７】
第１列のファスニングエレメントと第２列のファスニングエレメントとの間で延びる前記第１ファスニング装置の壁が、前記第１ファスニング装置と前記第２ファスニング装置との組立て中に前記第２ファスニング装置に対する水密シールを創出する構成になっているシールを備えることを特徴とする請求項３に記載のファスニングシステム。
【請求項８】
前記第１ファスニング装置及び前記第２ファスニング装置の両方と同時に連結され、前記第２ファスニング装置を前記第１ファスニング装置から選択的に離脱係合する構成になっている、スライダーを更に備えることを特徴とする請求項１に記載のファスニングシステム。
【請求項９】
ファスニング装置であって、  第１テープ部分と、前記第１テープ部分に連結された第１ファスニング部分と、を備えており、  前記第１ファスニング部分は、第１側面と前記第１側面の反対側の第２側面とを画成しており、  前記第１ファスニング部分は、前記第１側面から延出する複数のファスニングエレメントを備えており、  前記複数のファスニングエレメントは、前記ファスニング装置の縦方向に沿って縦方向に配置されており、  隣り合う各ファスニングエレメントは、ピッチ距離だけオフセットされ、隣り合う各ファスニングエレメント間にファスニングギャップを画成しており、  前記複数のファスニングエレメントの各々は、前記ファスニング装置の縦方向に平行な方向に拡張した係合部分を備えており、  前記複数のファスニングエレメントの各々は、前記ファスニングエレメントの突出中心線に関して非対称であり、  前記ファスニング装置は、第１ファスニング装置であり、  前記第１ファスニング装置は、前記第１ファスニング装置の前記第１ファスニング部分と同じ幾可学的形状を有する第２ファスニング部分を備える第２ファスニング装置に連結される構成になっていることを特徴とするファスニング装置。
【請求項１０】
前記第１ファスニング部分は、前記第１テープ部分と一体的に形成されることを特徴とする請求項９に記載のファスニング装置。
【請求項１１】
前記複数のファスニングエレメントは、前記第１ファスニング装置の縦方向で実質的に整列している第１列のファスニングエレメントを画成しており、  前記第１ファスニング装置は、前記第１ファスニング装置の縦方向で実質的に整列しており、前記第１ファスニング装置の前記第１列のファスニングエレメントと平行に位置する、第２列のファスニングエレメントを更に備えることを特徴とする請求項９に記載のファスニング装置。
【請求項１２】
前記第１列のファスニングエレメント及び前記第２列のファスニングエレメントは、前記第１列のファスニングエレメントと前記第２列のファスニングエレメントとの間の横ギャップ距離を画成していることを特徴とする請求項１１に記載のファスニング装置。
【請求項１３】
前記第１ファスニング部分の横方向に隣り合うファスニングエレメントは、前記第１ファスニング装置の前記第１側面を見た時に、前記横方向に隣り合うファスニングエレメント間の中間に位置する点に関して対称であることを特徴とする請求項１１に記載のファスニング装置。
【請求項１４】
前記第１列のファスニングエレメントと前記第２列のファスニングエレメントとの間で前記第１側面から延出する壁を更に備えることを特徴とする請求項１１に記載のファスニング装置。
【請求項１５】
前記壁は分割されていることを特徴とする請求項１４に記載のファスニング装置。
【請求項１６】
第３列のファスニングエレメント及び第４列のファスニングエレメントを更に備えており、  前記第３列のファスニングエレメントは、前記第１ファスニング装置の縦方向で実質的に整列しており、前記第２列のファスニングエレメントから離れて延びる方向で前記第１ファスニング装置の前記第１列のファスニングエレメントに隣り合って位置しそれからオフセットされており、  前記第４列のファスニングエレメントは、前記第１ファスニング装置の縦方向で実質的に整列しており、前記第１列のファスニングエレメントから離れて延びる方向で前記第１ファスニング装置の前記第２列のファスニングエレメントに隣り合って位置しそれからオフセットされていることを特徴とする請求項１１に記載のファスニング装置。
【請求項１７】
前記第１ファスニング部分の前記第２側面は、複数の逃げ溝を画成していることを特徴とする請求項９に記載のファスニング装置。
【請求項１８】
ファスニング装置であって、  第１テープ部分と、前記第１テープ部分に連結された第１ファスニング部分と、を備えており、  前記第１ファスニング部分は、第１側面と前記第１側面の反対側の第２側面とを画成しており、  前記第１ファスニング部分は、前記第１側面から延出する複数のファスニングエレメントを備えており、  前記複数のファスニングエレメントは、前記ファスニング装置の縦方向に沿って縦方向に配置されており、  隣り合う各ファスニングエレメントは、ピッチ距離だけオフセットされ、隣り合う各ファスニングエレメント間にファスニングギャップを画成しており、  前記複数のファスニングエレメントの各々は、前記ファスニング装置の縦方向に平行な方向に拡張した係合部分を備えており、  前記ファスニング装置は、第１ファスニング装置であり、  前記第１ファスニング装置は、前記第１ファスニング装置の前記第１ファスニング部分と同じ幾可学的形状を有する第２ファスニング部分を備える第２ファスニング装置に連結される構成になっていることを特徴とするファスニング装置。
【請求項１９】
前記複数のファスニングエレメントの各々は、前記ファスニングエレメントの突出中心線に関して非対称であることを特徴とする請求項１８に記載のファスニング装置。
【請求項２０】
前記第１ファスニング部分の前記第２側面は、複数の逃げ溝を画成していることを特徴とする請求項１８に記載のファスニング装置。
【発明の詳細な説明】
【技術分野】
【０００１】  この開示は、ファスニングシステムに関する。より詳しくは、この開示は、一対のスライドファスナーといった２つのファスニング装置を互いに連結するためのファスニングシステムに関する。
【背景技術】
【０００２】  ファスナーは、衣類の２つのパネル、室内装飾材料の２つのパネルといった２つのパネル材料、又は密封バッグの開口側といった２つの異なる包装部分を連結するために一般に使用される。柔軟性の程度を変えることにより、一般的なスライドファスナーは、多数の構成要素（例えば金属、プラスチック及び布地）及び材料から作られ、その結果、最終製品の製造及び、その組立てでさえ、より高額になることがあり得る。何千フィートものファスナー材料を作るために多数の材料による押出プロセスといった比較的低コストの製造プロセスを使用できるという見込みは、魅力的であるが、結果として生じる締結接合部の非柔軟性及び／又は弱さのために一般に実用的となっていない。
【発明の概要】
【課題を解決するための手段】
【０００３】  この概要は開示の包括的な概要であると理解するべきではない。この概要は例示的なものであって制限的なものではなく、開示の重要又は決定的な要素を識別したりその適用範囲を詳細に説明したりしようとするものではない。この概要の専らの目的は、以下の完全且つ包括的な詳細な説明の導入部として本開示の特定の概念を説明及び例示することである。【０００４】  １態様において、ファスニングシステムが開示され、ファスニングシステムは、第１ファスニング部分と前記第１ファスニング部分に連結された第１テープ部分とを備える第１ファスニング装置と、第２ファスニング部分と前記第２ファスニング部分に連結された第２テープ部分とを備える第２ファスニング装置と、を備えており、前記第１ファスニング部分は、第１側面と前記第１側面の反対側の第２側面とを画成するベースを備えており、前記第１ファスニング部分は、前記第１ファスニング部分の前記ベースの前記第１側面から延出する複数のファスニングエレメントを備えており、前記複数のファスニングエレメントは、前記第１ファスニング装置の縦方向に沿って縦方向に配置されており、隣り合う各ファスニングエレメントは、ピッチ距離だけオフセットされ、隣り合う各ファスニングエレメント間にファスニングギャップを画成しており、前記複数のファスニングエレメントの各々は、前記第１ファスニング装置の縦方向に平行な方向に拡張した係合部分を備えており、前記第１ファスニング部分の前記第２側面は、複数の逃げ溝を画成しており、前記複数の逃げ溝は、前記第１ファスニング装置の縦方向で前記第１ファスニング装置の前記第１ファスニング部分のファスニングエレメントと実質的に整列しており、前記第２ファスニング部分は、第１側面と前記第１側面の反対側の第２側面とを画成するベースを備えており、前記第２ファスニング部分は、前記第２ファスニング部分の前記ベースの前記第１側面から延出する複数のファスニングエレメントを備えており、前記複数のファスニングエレメントは、前記第２ファスニング装置の縦方向に沿って縦方向に配置されており、隣り合う各ファスニングエレメントは、ピッチ距離だけオフセットされ、隣り合う各ファスニングエレメント間にファスニングギャップを画成しており、前記複数のファスニングエレメントの各々は、前記第２ファスニング装置の縦方向に平行な方向に拡張した係合部分を備えており、前記第２ファスニング部分の前記第２側面は、複数の逃げ溝を画成しており、前記複数の逃げ溝は、前記第２ファスニング装置の縦方向で前記第２ファスニング装置の前記第２ファスニング部分のファスニングエレメントと実質的に整列しており、ここにおいて、前記第２ファスニング装置の前記第２ファスニング部分は、前記第２ファスニング部分の前記第１側面が前記第１ファスニング部分の前記第１側面に対面した時に前記第１ファスニング装置の前記第１ファスニング部分に締結する構成になっており、前記第１ファスニング部分の前記複数のファスニングギャップの各々は、前記第２ファスニング部分の前記複数のファスニングエレメントの１つを係止自在に収容するサイズとなっており、前記第２ファスニング部分の前記複数のファスニングギャッ��の各々は、前記第１ファスニング部分の前記複数のファスニングエレメントの１つを係止自在に収容するサイズとなっている。【０００５】  更なる態様において、ファスニング装置が開示され、ファスニング装置は、第１テープ部分と、前記第１テープ部分に連結された第１ファスニング部分と、を備えており、前記第１ファスニング部分は、第１側面と前記第１側面の反対側の第２側面とを画成しており、前記第１ファスニング部分は、前記第１側面から延出する複数のファスニングエレメントを備えており、前記複数のファスニングエレメントは、前記第１ファスニング装置の縦方向に沿って縦方向に配置されており、隣り合う各ファスニングエレメントは、ピッチ距離だけオフセットされ、隣り合う各ファスニングエレメント間にファスニングギャップを画成しており、前記複数のファスニングエレメントの各々は、前記第１ファスニング装置の縦方向に平行な方向に拡張した係合部分を備えており、前記複数のファスニングエレメントの各々は、前記ファスニングエレメントの突出中心線に関して非対称であり、前記ファスニング装置は、第１ファスニング装置であり、前記第１ファスニング装置は、前記第１ファスニング装置の前記第１ファスニング部分と同じ幾可学的形状を有する第２ファスニング部分を備える第２ファスニング装置に連結される構成になっている。【０００６】  更に別の態様において、ファスニングシステムを使用する方法が開示され、方法は、第１ファスニング装置を取得するステップを含んでおり、前記ファスニング装置は、第１テープ部分と、前記第１テープ部分に連結された第１ファスニング部分と、を備えており、前記第１ファスニング部分は、第１側面と前記第１側面の反対側の第２側面とを画成しており、前記第１ファスニング部分は、前記第１側面から延出する複数のファスニングエレメントを備えており、前記複数のファスニングエレメントは、前記第１ファスニング装置の縦方向に沿って縦方向に配置されており、隣り合う各ファスニングエレメントは、ピッチ距離だけオフセットされ、各ファスニングエレメント間にファスニングギャップを画成しており、前記複数のファスニングエレメントの各々は、前記第１ファスニング装置の縦方向に平行な方向に拡張した係合部分を備えており、前記第１ファスニング部分の前記第２側面は、複数の逃げ溝を画成しており、前記複数の逃げ溝は、前記第１ファスニング装置の縦方向で前記第１ファスニング装置の前記第１ファスニング部分のファスニングエレメントと実質的に整列しており、また、第２パネルに第２ファスニング装置を取得するステップを含んでおり、前記ファスニング装置は、第２テープ部分と、前記第２テープ部分に連結された第２ファスニング部分と、を備えており、前記第２ファスニング部分は、第１側面と前記第１側面の反対側の第２側面とを画成しており、前記第２ファスニング部分は、前記第１側面から延出する複数のファスニングエレメントを備えており、前記複数のファスニングエレメントは、前記第２ファスニング装置の縦方向に沿って縦方向に配置されており、隣り合う各ファスニングエレメントは、ピッチ距離だけオフセットされ、隣り合う各ファスニングエレメント間にファスニング���ャップを画成しており、前記複数のファスニングエレメントの各々は、前記第２ファスニング装置の縦方向に平行な方向に拡張した係合部分を備えており、前記第２ファスニング部分の前記第２側面は、複数の逃げ溝を画成しており、前記複数の逃げ溝は、前記第２ファスニング装置の縦方向で前記第２ファスニング装置の前記第２ファスニング部分のファスニングエレメントと実質的に整列しており、更に、前記第２ファスニング部分の前記第１側面が前記第１ファスニング部分の前記第１側面に対面した時に前記第２ファスニング装置の前記第２ファスニング部分を前記第１ファスニング装置の前記第１ファスニング部分に締結するステップを含んでおり、前記第１ファスニング部分の複数のファスニングギャップの各々は、前記第２ファスニング部分の前記複数のファスニングエレメントの１つを係止自在に収容するサイズとなっており、前記第２ファスニング部分の複数のファスニングギャップの各々は、前記第１ファスニング部分の前記複数のファスニングエレメントの１つを係止自在に収容するサイズとなっている。【０００７】  本開示において記載する種々の実施形態は、必ずしも本書に明示的に開示されていないかもしれないが、以下の詳細な説明及び添付図面を検討すれば当業者には明らかなはずである付加的なシステム、方法、特徴及び利益を含み得る。全部のそうしたシステム、方法、特徴及び利益は本開示の適用範囲内に包含され、添付のクレームによって保護されることを意図している。そうした実施形態の特徴及び利益は、添付のクレームにおいて詳細に指摘されるシステム、方法、特徴によって実現及び取得し得る。上記及び他の特徴は、以下の説明及び添付のクレームからより完全に明らかになるか、又は以下に述べるような例示的な実施形態の実施によって知り得る。【０００８】  この明細書に援用しその一部を成す添付図面は、開示のいくつかの態様を例証し、説明と一体となって開示の種々の原理を解説する役割を果たす。図面は必ずしも縮尺通りに描かれているわけではない。図面全体を通じて対応する特徴及び構成要素は、一貫性及び明快さのために一致する参照文字によって指示されるとしてよい。
【図面の簡単な説明】
【０００９】
【図１】本開示の１態様に従った第１ファスニング装置及び第２ファスニング装置を備えるファスニングシステムの斜視図である。
【図２】図１の線２−２に沿って得られる図１のファスニングシステムの断面図である。
【図３】明快さのために第２ファスニング装置を取り外した、図１及び図２の線３−３に沿って得られる図１のファスニングシステムの第１ファスニング装置の断面図である。
【図４】本開示の別の態様に従った第１ファスニング装置及び第２ファスニング装置の両方を示す、図１及び図２の線３−３に沿って得られる図１のファスニングシステムの断面図である。
【図５】本開示の別の態様に従った図１のファスニングシステムのファスニングエレメントの断面図であり、ファスニングエレメントは、ファスニングエレメントの突出中心線に関して対称である。
【図６】本開示の別の態様に従った湾曲状態での図１のファスニングシステムの断面図であり、ファスニングシステムは、第１ファスニング装置及び第２ファスニング装置を備えており、各々は図５の幾可学的形状に一致する複数のファスニングエレメントを備える。
【図７】図１のファスニングシステムのファスニングエレメントの断面図であり、このファスニングエレメントは、ファスニングエレメントの突出中心線に関して非対称である。
【図８】本開示の別の態様に従った湾曲状態での図１のファスニングシステムの断面図である。
【図９】本開示の別の態様に従った、第１列のファスニングエレメント、第２列のファスニングエレメント、及びそれらの間の壁を備える図１の第１ファスニング装置の斜視図である。
【図１０】本開示の別の態様に従った、各々４列のファスニングエレメントからなる単一のファスニングエレメントを備える図１の第１ファスニング装置の１セグメントの斜視図である。
【図１１】本開示の別の態様に従った、第１列のファスニングエレメントだけを備える図１の第１ファスニング装置の１セグメントの斜視図である。
【図１２】本開示の別の態様に従った、各々６列のファスニングエレメントからなる単一のファスニングエレメントを備える図１の第１ファスニング装置の１セグメントの斜視図である。
【図１３】本開示の別の態様に従った、分割壁を備える図１０の第１ファスニング装置の上面図である。
【図１４】図１３の第１ファスニング装置の部分切取斜視図である。
【図１５】本開示の別の態様に従った、２対のファスニングエレメント列とシールを備えた中間壁とを備える図１の第１ファスニング装置の斜視図である。
【図１６】図１５の第１ファスニング装置と、第１ファスニング装置と同じ幾可学的形状を有する第２ファスニング装置と、を備えるファスニングシステムの斜視図である。
【図１７】図１及び図２の線３−３に沿った相当する断面から得られる図１６のファスニングシステムの断面図である。
【図１８】図１の第１ファスニング装置の１セグメントの上面図である。
【図１９】図１のファスニングシステムの斜視図であり、第１ファスニング装置の第１テープ部分及び第２ファスニング装置の第２テープ部分は本開示の別の態様に従った同じ方向で延びている。
【図２０】本開示の別の態様に従った、第１ファスニング装置及び第２ファスニング装置を連結するためのスライダーを備える図１のファスニングシステムの斜視図である。
【図２１】本開示の別の態様に従った、テープ部分を備える図１の第１ファスニング装置の斜視図である。
【図２２】図２１の線２２−２２に沿って得られる図２１の第１ファスニング装置の断面図である。
【図２３】本開示の別の態様に従った、複合テープ部分を備える図１の第１ファスニング装置の斜視図である。
【発明を実施するための形態】
【００１０】  本開示は、以下の詳細な説明、実施例、図面及びクレーム並びに、それらの前述及び以下の説明の参照によって、より容易に理解できる。しかしながら、本件の装置、システム及び／又は方法を開示説明する前に、この開示が開示された特定の装置、システム及び／又は方法に限定されるものではなく、別段に明記されていない限り、それらは当然変更可能であることが理解される。また、本書において使用される用語は、特定の態様を説明する目的のためだけであって限定することを意図していないことも理解される。
【００１１】  以下の説明は、本件の装置、システム及び／又は方法をそれらの現在既知の最良の態様において可能にする教示として提示する。このために、当業者は、ここで説明する種々の態様に多くの変更を行いながらも、本開示の有益な成果を変わらず獲得できることを十分に認識するであろう。また、本開示の所望の利益の一部は、他の特徴を利用することなく本開示の特徴の一部を選択することによって獲得できることも明らかであろう。従って、当業者は、本開示に対し多くの修正及び適応が可能であり、特定の状況では望ましいことさえあり得て、本開示の一部であることを認識するであろう。このようにして、以下の説明は本開示の原理を例証するものであり、その限定としてではなく提示する。
【００１２】  全体を通じて使用される通り、単数形「ａ」、「ａｎ」及び「ｔｈｅ」は、文脈上他に明確に指示されていない限り、複数の指示対象も含む。従って例えば、１つの数量の特定の要素への言及は、文脈が別様に示していない限り、２つ以上の当該要素を含み得る。
【００１３】  範囲は、本書では、「およそ」ある１つの値から、及び／又は「およそ」ある別の値までとして表現され得る。そのような範囲が表現された場合、別の態様はその特定の値から、及び／又は別の特定の値までを含む。同様に、先行する「およそ」又は「だいたい」の使用によって、値が近似値として表現される場合、その特定の値は別の態様を成すと理解される。更に、範囲の各々の端点は、他方の端点に関連して、及び他方の端点とは独立に、両方とも有意であると理解される。
【００１４】  本開示の目的で、ある特定の測定スケールで「およそＸ」又は「だいたいＸ」と指示される材料特性又は寸法は、Ｘプラス指定測定値の業界標準上方許容差とＸマイナス指定測定値の業界標準下方許容差との間の範囲で指示している。許容差は異なる材料、プロセスの間、異なるモデルの間で変化し得るので、ある特定の構成要素のある特定の寸法の許容差は、ある範囲の許容差に入るとしてよい。
【００１５】  本書で使用される通り、用語「任意の」又は「任意で」は、以後に記述された事象又は状況が生起してもしなくてもよいこと及び、その記述は前記事象又は状況が生起する事例及び生起しない事例を含むことを意味する。
【００１６】  本書で使用される通り、語「又は」は、あるリストの任意の１構成を意味し、更にはそのリストの構成の任意の組合せも含む。
【００１７】  本書で開示される種々の要素の説明を単純にするために、規約「左」、「右」、「前」、「後」、「上部」、「底部」、「上方」、「下方」、「内部」、「外部」、「機内」、「機外」、「水平」及び／又は「垂直」を参照し得る。特段に規定しない限り、「前」はファスニングシステムの第１縦方向又は長さ方向の端に最も近いファスニングシステムの端を表す。「後」は「前」の反対又は遠位である座席のその端である。「左」は前の左にある、又は前の方向に面して左に面するものである。「右」は前の右にある、又は前の方向に面して右に面するものである。「水平」又は「水平向き」は左右に延びる平面にあり水平線と整列しているものを表す。「垂直」又は「垂直向き」は水平に対し９０°の角度を成す平面にあるものを表す。
【００１８】  種々の態様において、ファスニングシステム並びに関係する方法、システム、装置及び種々の機構をここに開示する。一部態様において、ファスニングシステムは、ファスニング部分及びテープ部分を備える一対のファスニング装置を備え得る。
【００１９】  図１は、ファスニングシステム９０を開示している。ファスニングシステム９０は、第１ファスニング装置１００ａ及び第２ファスニング装置１００ｂを備え得る。ファスニング装置１００ａ，ｂの各々は、それぞれのファスニング部分１１０ａ，ｂと、ファスニング部分１１０ａ，ｂに連結されたそれぞれのテープ部分１２０ａ，ｂと、を備え得る。
【００２０】  ファスニング部分１１０ａ，ｂの各々は、それぞれのベース１１５ａ，ｂを備えるとしてよく、ベース１１５ａ，ｂは、それぞれの第１側面１１１ａ，ｂ（１１１ｂは図２に示す）と、第１側面１１１ａ，ｂの反対側のそれぞれの第２側面１１２ａ，ｂ（１１２ａは図２に示す）と、を画成している。同様に、テープ部分１２０ａ，ｂの各々は、それぞれの第１側面１２１ａ，ｂ（１２１ｂは図４に示す）と、第１側面１２１ａ，ｂの反対側のそれぞれの第２側面１２２ａ，ｂ（１２２ａは図３に示す）と、を画成するとしてよい。
【００２１】  ファスニング部分１１０ａ，ｂの各々は、それぞれのファスニング部分１１０ａ，ｂのそれぞれの第１側面１１１ａ，ｂから延出する複数のそれぞれのファスニングエレメント１３０ａ，ｂを備え得る。より詳しくは、複数のファスニングエレメント１３０ａ，ｂの各々は、それぞれのファスニング装置１００ａ，ｂのそれぞれの縦方向１０３ａ，ｂに沿って縦方向に配列されるとしてよく、各々の縦方向１０３ａ，ｂは、一般に、ファスニング装置１００ａ，ｂのそれぞれの外縁端１０５ａ，ｂ（１０５ａは図３に示す）と平行に延び、各ファスニング装置１００ａ，ｂのそれぞれの横方向１０４ａ，ｂに関して９０°の角度を成す。
【００２２】  例えば、図３に示す中間壁３２０ａに隣り合うファスニングエレメントの列を通る線２−２から得られる図２に示すように、隣り合う各対のファスニングエレメント１３０ａ，ｂ（すなわち縦方向１０３ａ，ｂで互いに隣り合って位置する各対のファスニングエレメント１３０ａ，ｂ）は、ファスニングエレメントピッチ距離１１８だけオフセットされているとしてよい。隣り合う各対のファスニングエレメント１３０ａ，ｂは、それらの間にファスニングギャップ１１６ａ，ｂを画成し得る。第２ファスニング装置１００ｂの第２ファスニング部分１１０ｂは、第２ファスニング部分１１０ｂの第１側面１１１ｂが第１ファスニング部分１１０ａの第１側面１１１ａに対面した時を含め、第１ファスニング装置１００ａの第１ファスニング部分１１０ａに締結する構成になっているとしてよい。詳しくは、第１ファスニング部分１１０ａの複数のファスニングギャップ１１６ａは、第２ファスニング部分１１０ｂの複数のファスニングエレメント１３０ｂを係止自在に収容するサイズとなっているとしてよい。また、第２ファスニング部分１１０ｂの複数のファスニングギャップ１１６ｂは、第１ファスニング部分１１０ａの複数のファスニングエレメント１３０ａを係止自在に収容するサイズとなっているとしてよい。一体になって組立てられた第１ファスニング装置１００ａ及び第２ファスニング装置１００ｂは全組立厚さ２１０を画成し得る。
【００２３】  ファスニング部分１１０ａ，ｂの各々の第２側面１１２ａ，ｂは、複数の逃げ溝１４０ａ，ｂ（１４０ａは図２に示す）を画成し得る。複数の逃げ溝１４０ａ，ｂは、それぞれのファスニング装置１００ａ，ｂの縦方向１０３ａ，ｂでファスニング装置１００ａ，ｂのファスニング部分１１０ａ，ｂのファスニングエレメント１３０ａ，ｂと実質的に整列した位置でそれぞれのファスニング部分１１０ａ，ｂに画成されるとしてよい。「実質的に整列している」時に、各々の逃げ溝１４０ａ，ｂは、ファスニングエレメント１３０ａ，ｂが延出するファスニング部分１１０ａ，ｂのベース１１５ａ，ｂの任意の縦方向部分に画成される。「整列している」時に、逃げ溝１４０ａ，ｂの各々の中心は、ファスニングエレメント１３０ａ，ｂの各々の中心と少なくとも実質的に整列している。隣り合う各対の逃げ溝１４０ａ，ｂは、逃げ溝ピッチ距離１１９だけオフセットされているとしてよい。逃げ溝１４０ａ，ｂの各々は、横方向１０４ａ，ｂにファスニング部分を横切って延びるとしてよい。
【００２４】  一部態様において、図示のように、第１ファスニング装置１００ａの複数のファスニングエレメント１３０ａは互いに一体的に形成できる。同様に、第２ファスニング装置１００ｂの複数のファスニングエレメント１３０ｂは互いに一体的に形成できる。別の態様において、第１ファスニング装置１００ａの複数のファスニングエレメント１３０ａは、第１テープ部分１２０ａと一体的に形成できる。同様に、第２ファスニング装置１００ｂの複数のファスニングエレメント１３０ｂは、第２テープ部分１２０ｂと一体的に形成できる。更に別の態様において、ファスニング部分１１０ａ，ｂは、テープ部分１２０ａ，ｂとは別個に形成でき、後でテープ部分１２０ａ，ｂに連結してよい。
【００２５】  図３に示すように、第１ファスニング装置１００ａは、横方向１０４ａに平行であるとともに、第１テープ部分１２０ａの第１側面１２１ａと第２側面１２２ａとの間の中間に位置する平面で延びる、横中心線３０４ａを画成し得る。同様に、第２ファスニング装置１００ｂは、横方向１０４ｂに平行であるとともに、第２テープ部分１２０ｂの第１側面１２１ｂと第２側面１２２ｂとの間の中間に位置する平面で延びる、横中心線３０４ｂ（図４に図示）を画成し得る。点対称に関して検討する一部態様において、第１ファスニング装置１００ａは第２ファスニング装置１００ｂをも表す。
【００２６】  更に、ファスニング装置１００ａ，ｂの各々は、ベース１１５ａ，ｂをテープ部分１２０ａ，ｂに連結する内壁３１０ａ，ｂ（３１０ｂは図４に示す）、内壁３１０ａ，ｂから遠位の外壁３３０ａ，ｂ（３３０ｂは図４に示す）、及び内壁３１０ａ，ｂと外壁３３０ａ，ｂとの間に位置する中間壁３２０ａ，ｂ（３２０ｂは図４に示す）を備え得る。また、本態様では、テープ部分１２０ａ，ｂは、内壁３１０ａ，ｂの上端に連結しており、ベース１１５ａ，ｂは、テープ部分１２０ａ，ｂよりも下方に位置している。一部態様において、図３に示すように、中間壁３２０ａは、ベース１１５ａから延出し横中心線３０４ａで終わるとしてよい。別の態様において、図４に示すように、中間壁３２０ａは、横中心線３０４ａに達しないで終わり、ファスニング装置１００ａ，ｂが互いに連結された時に、それぞれの中間壁３２０ａ，ｂの間に中間壁ギャップ３２７（図４に示す）を画成し得る。前述の壁（例えば内壁３１０ａ，ｂ、外壁３３０ａ，ｂ、及び中間壁３２０ａ，ｂ）の存在により、横方向１０４ａ，ｂでのテープ部分１２０ａ，ｂへの何らかの荷重に対するファスニング装置１００ａ，ｂの横方向強度は向上し得る。すなわち、横方向１０４ａ，ｂでのファスニング装置１００ａ，ｂの離脱の可能性は低減され得る。
【００２７】  一部態様において、図示のように、第１列３３１ａ，ｂ（３３１ｂは図４に示す）のファスニングエレメント１３０ａ，ｂ及び第２列３３２ａ，ｂ（３３２ｂは図４に示す）のファスニングエレメント１３０ａ，ｂがそれぞれの中間壁３２０ａ，ｂの両側に位置し得る。更に、ファスニング装置１００ａ，ｂは、第３列３３３ａ，ｂ（３３３ｂは図４に示す）のファスニングエレメント１３０ａ，ｂ及び第４列３３４ａ，ｂ（３３４ｂは図４に示す）のファスニングエレメント１３０ａ，ｂを備え得る。第１列３３１ａ，ｂ、第２列３３２ａ，ｂ、第３列３３３ａ，ｂ、及び第４列３３４ａ，ｂのファスニングエレメント１３０ａ，ｂの任意の２つは、ファスニング装置１００ａ，ｂの縦方向１０３ａ，ｂで整列しており、互いに平行に位置し得る。第３列３３３ａ，ｂのファスニングエレメント１３０ａ，ｂは、ファスニング装置１００ａ，ｂの縦方向１０３ａ，ｂで実質的に整列しており、第２列３３２ａ，ｂのファスニングエレメント１３０ａ，ｂから離れて延びる方向でファスニング装置１００ａ，ｂの第１列３３１ａ，ｂのファスニングエレメント１３０ａ，ｂに隣り合って位置しそれからオフセットされているとしてよい。第４列３３４ａ，ｂのファスニングエレメント１３０ａ，ｂは、ファスニング装置１００ａ，ｂの縦方向１０３ａ，ｂで実質的に整列しており、第１列３３１ａ，ｂのファスニングエレメント１３０ａ，ｂから離れて延びる方向でファスニング装置１００ａ，ｂの第２列３３２ａ，ｂのファスニングエレメント１３０ａ，ｂに隣り合って位置しそれからオフセットされているとしてよい。
【００２８】  図示のように、第１列３３１ａ，ｂ、第２列３３２ａ，ｂ、第３列３３３ａ，ｂ、及び第４列３３４ａ，ｂの各ファスニングエレメント１３０ａ，ｂは、任意の近隣の壁（例えば内壁３１０ａ、中間壁３２０ａ、又は外壁３３０ａ，ｂ）から横ギャップ距離３１７だけオフセットされているとしてよい。限定ではなく、例えば、第１列３３１ａ，ｂのファスニングエレメント１３０ａ，ｂと中間壁３２０ａ，ｂとは横ギャップ距離３１７を画成し得る。同様に、第１列３３１ａ，ｂと第３列３３３ａ，ｂのファスニングエレメント１３０ａ，ｂとは横ギャップ距離３１７を画成し得る。内壁３１０ａ、中間壁３２０ａ、又は外壁３３０ａ，ｂのいずれかの存在により、第１ファスニング装置１００ａに対する第２ファスニング装置１００ｂの移動を制限できる一方、横ギャップ距離３１７により、横方向１０４ａ，ｂでの第１ファスニング装置１００ａと第２ファスニング装置１００ｂとの正確な整列の必要性を低減するのを助けることができる。
【００２９】  一部態様において、図４に示すように、第１テープ部分１２０ａ及び第２テープ部分１２０ｂは、ファスニング部分１１０ａ，ｂが互いに係合した時に実質的に同一平面上に置かれるとしてよい。より詳しくは、第１テープ部分１２０ａの横中心線３０４ａは、第２テープ部分１２０ｂの横中心線３０４ｂと少なくとも実質的に同一平面上に置かれ得る。この同一平面上の向き又は配列により、図６及び図８に示すような横方向１０４ａ，ｂでのファスニングシステム９０の湾曲及びテープ部分１２０ａ，ｂへの何らかの荷重の印加によるファスニングシステム９０の不均一な湾曲又はファスニング装置１００ａ，ｂ間の接続部のねじれが生じにくくなる。より詳しくは、ファスニングシステム９０の湾曲した接合部の縦中心線６０４（図６及び図８に図示）は、工程中に横中心線３０４ａ，ｂと合致するか又は同一平面上に置かれ得る。
【００３０】  一部態様において、図５に示すように、ファスニング装置１００ａ，ｂの各ファスニングエレメント１３０ａ，ｂは、ファスニング装置１００ａ，ｂの縦方向１０３ａ，ｂに平行な方向に拡張した係合部分１３３ａ，ｂ及び係合部分１３４ａ，ｂを備え得る。一部態様において、係合部分１３３ａ，ｂ，１３４ａ，ｂの各々は、図５及び図７に示すように、フックからなり得る。フックは、該フックが相手方ファスニング装置のフックに掛止することになるように所定の方向で対応するファスニングエレメント１３０ａ，ｂの基部の一部を越えて拡張するか、又は別様に相手方ファスニング装置に掛止する構成になっているかのいずれかで所定の方向（前記態様では縦方向１０３ａ，ｂ）に拡張する任意の形状である。別の態様において、係合部分１３３ａ，ｂ，１３４ａ，ｂの各々はフックからなる必要はない。ファスニングエレメント１３０ａ，ｂがファスニングエレメント１３０ａ，ｂの基部を越えて拡張して係合部分１３３ａ，ｂ又は係合部分１３４ａ，ｂを創出することにより、ファスニングシステム９０の他の独自の特徴のうちでも、後述するような種々の例示的方法によって成形できる、図示のような係合部分１３３ａ，ｂ，１３４ａ，ｂとベース１１５ａ，ｂとの間のアンダーカット又は逃げを創出できる。図示のように、ファスニングエレメント１３０ａ，ｂは、ファスニングエレメント１３０ａ，ｂの突出中心線５３０ａ，ｂに関して対称にできる。一部態様において、図示のように、ファスニング装置１００ａ，ｂは、前述の逃げ溝１４０ａ，ｂを画成する必要はない。別の態様において、ファスニング装置１００ａ，ｂは、突出中心線５３０ａ，ｂに関して対称である複数のファスニングエレメント１３０ａ，ｂを備えてよく、それらは各々、逃げ溝１４０ａ，ｂを画成し、非対称形状を有するファスニングエレメント１３０ａ，ｂによる以下で示す同じレベルの柔軟性を呈する。
【００３１】  図６に示すように、第１ファスニング装置１００ａが第２ファスニング装置１００ｂと連結され、結果として得られるファスニングシステム９０が図示のように湾曲した時に、ファスニングエレメント１３０ａ，ｂ間の干渉により、最小曲げ半径６１０を下回るファスニングシステム９０の湾曲が防止される。図示のように、ファスニング装置１００ａ，ｂの各々が弾性材料又は柔軟材料から形成される場合でも、ファスニング装置１００ａ，ｂの各セグメントの剛性は組立てられたファスニングシステム９０の柔軟性を制限する。ここで各セグメントは、縦方向１０３ａ，ｂに延びる単一のファスニングエレメント１３０ａ，ｂからなるとしてよい。ファスニングシステム９０の比較的わずかな湾曲でさえも、突出中心線５３０ａ，ｂの各々とそれぞれのファスニングギャップ１１６ａ，ｂの対応する中心線６１６ａ，ｂとの間に不整列を生じる。
【００３２】  別の態様において、図７に示すように、ファスニング装置１００ａ，ｂの各ファスニングエレメント１３０ａ，ｂは、ファスニングエレメント１３０ａ，ｂの突出中心線５３０ａ，ｂに関して非対称にできる。一部態様において、図示のように、各ファスニング装置１００ａ，ｂは、各ファスニングエレメント１３０ａ，ｂのすぐ近くに前記逃げ溝１４０ａ，ｂを画成し得る。逃げ溝１４０ａ，ｂは、横方向１０４ａ，ｂに沿って断面で見た時に先細りの開口を画成し得る。逃げ溝１４０ａ，ｂの先細りの開口は、開放角７１０ａ，ｂを画成し得る。
【００３３】  図８に示すように、第１ファスニング装置１００ａが第２ファスニング装置１００ｂに連結され、結果として得られるファスニングシステム９０が図示のように湾曲した時に、曲げ半径６１０までの湾曲はファスニングエレメント１３０ａ，ｂ間の干渉によって制限されない。図示のように、特にファスニング装置１００ａ，ｂの各々が弾性材料又は柔軟材料から形成される場合、ファスニング装置１００ａ，ｂの各セグメントの柔軟性は、突出中心線５３０ａ，ｂの各々と各ファスニングギャップ１１６ａ，ｂの対応する中心線６１６ａ，ｂとの間の整列を維持するのを可能にする。例えば、図示のように、第２ファスニング装置１００ｂの逃げ溝１４０ｂの各々の開放角７１０ｂは必要に応じて開く、すなわち増大でき、同様に第１ファスニング装置１００ａの逃げ溝１４０ａの各々の開放角７１０ａは必要に応じて閉じる、すなわち縮小し得る（負の値にまでなって逃げ溝１４０ａの各々はそれ自体完全に閉じる）。従って、逃げ溝１４０ａ，ｂの各々の幾可学的形状は、互いからのファスニング装置１００ａ，ｂの離脱を伴うことなくファスニングシステム９０の多少の湾曲を許容するように調整できる。ファスニング装置１００ａ，ｂの互いからの離脱は、少なくとも、相手方の係合部分１３３ａ，ｂ間の干渉に打ち勝つ力が、それ自体離脱の促進につながり得るファスニング装置１００ａ，ｂの係合部分１３３ａ，ｂ又は他の部分を変形させる力よりも小さい時に、所要の曲げ半径６１０まで湾曲する構成になってないファスニングシステムの結果であるとしてよい。
【００３４】  係合部分１３３ａ，ｂは、ファスニング装置１００ａ，ｂにおいて複数の方向又は向きで配列できる。図８のファスニングシステム９０に示すように、内側列（すなわち断面で示された列）は図示のように右に拡張でき、外側列は左に拡張できる。図２のファスニングシステム９０に示すように、内側列及び外側列が拡張する方向は逆にできる。ファスニングシステム９０に組込む時に、対応する突出中心線５３０ａ，ｂに関するファスニングエレメント１３０ａ，ｂの前述の非対称又は対称を使用して、連結される２つのパネル（図示せず）が、（限定ではなく、例えば、相手方ファスニング装置の向きが一致して整列している場合、）１つの向きでしか組立てられないように保証できる。しかし、後述のように、「点対称」を呈するファスニング装置を複数の向きで組立てることも可能である。
【００３５】  図９に示すように、第１列３３１ａのファスニングエレメント１３０ａ及び第２列３３２ａのファスニングエレメント１３０ａは係合部分１３３ａを備えることができ、係合部分１３３ａの各々は、同じ縦方向１０３ａに拡張するようにできる。更に、第１ファスニング装置１００ａといったファスニング装置は外壁３３０ａを含む必要はない。一部態様において、図示のように、第１列３３１ａの各ファスニングエレメント１３０ａは、縦方向１０３ａに沿って第２列３３２ａの隣り合うファスニングエレメント１３０ａと同じ位置で整列している。別の態様において、また、図示のように、第１列３３１ａといった複数の列を備えるいずれかの他の態様において、第１列３３１ａの１つ以上のファスニングエレメント１３０ａは、第２列３３２ａの最も近い隣り合うファスニングエレメント１３０ａから縦方向１０３ａにオフセットされ得る。
【００３６】  図１０に示すように、第１列３３１ａ、第２列３３２ａ、第３列３３３ａ、及び第４列３３４ａのファスニングエレメント１３０ａの係合部分１３３ａの各々は、同じ縦方向１０３ａに拡張するようにできる。
【００３７】  図１１に示すように、第１ファスニング装置１００ａは、内壁３１０ａ及び外壁３３０ａによって仕切られた単一列のファスニングエレメント１３０ａだけを備え得る。
【００３８】  一部態様において、図１２に示すように、図１に示したものと同様、隣り合う列のファスニングエレメント１３０ａにおけるファスニングエレメント１３０ａの係合部分１３３ａを、縦方向１０３ａに沿って反対方向に拡張するようにできる。別の態様において、係合部分１３３ａ，ｂは、それぞれのファスニング装置１００ａ，ｂのファスニングエレメント１３０ａ，ｂの第１列３３１ａ，ｂにおける複数のファスニングエレメント１３０ａ，ｂの係合部分１３３ａ，ｂが拡張する方向に対して角度を成すが、必ずしも反対方向ではない方向に拡張し得る。係合部分が複数の方向で拡張しているファスニングエレメントの列を備えるファスニング装置１００ａ，ｂは、係合強度を改善でき、更に、１つの方向で拡張する係合部分１３３ａ，ｂの幾可学的形状が別の方向で拡張する係合部分１３３ａ，ｂの幾可学的形状と干渉するために、横方向強度も改善できる。
【００３９】  ファスニング装置１００ａ，ｂの各々は、任意の数の列を備え得る。限定ではなく、例えば、ファスニング装置１００ａのファスニング部分１１０ａが６列以上のファスニングエレメント１３０ａを備えてもよい。列の数を増やすことにより同様に係合強度及び横方向強度を改善できる。
【００４０】  別の態様において、図１３及び図１４に示すように、限定ではなく、例えば、中間壁３２０ａといったファスニング装置１００ａの壁は、連続的ではなく分割してもよい。「分割」壁３２０ａは、壁３２０ａが高さを減じるか又は消滅する地点で切れ目又は壁ギャップ３４０ａ，ｂ（３４０ｂは図示せず）を画成し、壁３２０ａのセグメントを互いにオフセットする分割壁ピッチ１３１８を画成し得る。更に、分割壁は、ファスニング装置１００ａ，ｂのファスニング部分１１０ａ，ｂの柔軟性を増大できる。一部態様において、分割壁ピッチ１３１８は、ファスニングエレメントピッチ距離１１８とは異なってもよい。別の態様において、分割壁ピッチ１３１８は、ファスニングエレメントピッチ距離１１８又は逃げ溝ピッチ距離１１９と等しくてもよい。
【００４１】  図１５〜図１７に示すように、ファスニング部分１１０ａの中間壁３２０ａといった壁は、シール１４１０ａを備えてもよい。シール１４１０ａは、第１ファスニング装置１００ａと第２ファスニング装置１００ｂとの組立て中に第２ファスニング装置１００ｂに対する圧縮性水密シールを創出する構成にできる。限定ではなく、例えば、シール１４１０ａの高さは、組立てられたファスニングシステム９０においてシール１４１０ａに使用可能なスペースよりも高くできる。更に、シール１４１０ａは、ファスニング装置１００ａ，ｂの組立て中に受ける圧力下で材料が圧縮するような低デュロメーター（すなわち硬さ）を有する材料で製作できる。図１５に示すように、シール１４１０ａは中間壁３２０ａの長さにわたって及び得る。一部態様において、図１６及び図１７に示すように、第２ファスニング装置１００ｂの中間壁３２０ｂは、第１ファスニング装置１００ａのシール１４１０ａを封止するシール１４１０ｂを備え得る。別の態様において、中間壁３２０ａ，ｂの一方だけがシール１４１０ａ又はシール１４１０ｂを備えてもよく、その場合、存在するシール１４１０ａ又はシール１４１０ｂのそれぞれは、中間壁３２０ｂ又は中間壁３２０ａを密閉し得る。図示せぬ別の態様において、それぞれのファスニング装置１００ａ，ｂの内壁３１０ａ，ｂ又は外壁３３０ａ，ｂのどちらか一方又は両方がシールを備えてもよい。
【００４２】  一部態様において、図示のように、シールは、圧縮工程中に次第に大きくなるシーリング表面積により圧縮に漸増的に抵抗できる半円形状の断面を有し得る。別の態様において、シール１４１０ａ，ｂは矩形状の断面を有し得る。更に別の態様において、シール１４１０ａ，ｂは、限定ではなく、例えば、三角形状を含む任意の他の望ましい形状を有し得る。一部態様において、シール１４１０ａ，ｂは中実断面を有し得る。別の態様において、シール１４１０ａ，ｂは中空であってもよい。一部態様において、図示のように、シール１４１０ａ，ｂは、横中心線３０４ａに関して対称であって互いに対向し得る。これによってシール１４１０ａ，ｂ間の水密シールは、それらが一体になる同じ方向で（すなわち、各ファスニング部分１１０ａ，ｂのそれぞれの第１側面１１１ａ，ｂの方向に、又はそれぞれの第１側面１１１ａ，ｂに垂直である方向で）シール１４１０ａ，ｂの各々に作用する圧縮力によって効力を発揮し得る。別の態様において、シール１４１０ａ，ｂは、ファスニング部分１１０ａとファスニング部分１１０ｂとの係合中にシール１４１０ｂがシール１４１０ａを越えて摺動するようにオフセットされ得る。これによってシール１４１０ａ，ｂの各々の側面は、互いに対面し互いに封止し合うことができる。これによってシール１４１０ａ，ｂ間の水密シールは、（図４に示す）横方向１０４ａ，ｂでシール１４１０ａ，ｂの各々の側面に少なくとも部分的に作用する圧縮力によって効力を発揮し得る。更に、別の態様において、一方又は両方のシール１４１０ａ，ｂは、ファスニング部分１１０ａとファスニング部分１１０ｂとの係合中に接触し封止する対面する湾曲又は先細りの表面を備え得る。やはり、これによってシール１４１０ａ，ｂの各々の側面は、互いに対面し互いに封止し合うことができる。また、これによってシール１４１０ａ，ｂ間の水密シールは、横方向１０４ａ，ｂでシール１４１０ａ，ｂの各々の側面に作用する圧縮力の成分、及びそれぞれの第１側面１１１ａ，ｂに垂直な方向でシール１４１０ａ，ｂの各々の側面に作用する圧縮力の成分によって効力を発揮し得る。
【００４３】  図１８に示すように、ファスニング部分１１０ａ，ｂのファスニングエレメント１３０ａ，ｂが「点対称」で、すなわち、点１８１０に関して対称に配列されている場合、少なくともファスニング部分１１０ａ，ｂの相手方部分が同じ形状を有する限り、２つのファスニング装置１００ａ，ｂを係合することが可能である。言い換えると、点対称によって、第１ファスニング装置は、第１ファスニング装置の第１ファスニング部分と同じ幾可学的形状を有する第２ファスニング部分を備える第２ファスニング装置と連結される構成にできる。点対称が存在する場合、横方向に隣り合うファスニングエレメント１３０ａ（すなわち第１ファスニング部分の横方向１０４ａ，ｂで互いに隣り合うファスニングエレメント１３０ａ）は、横方向に隣り合うファスニングエレメント間の中間に位置する点に関して対称である。より詳しくは、点対称が存在する場合、すべての構造要素は、反対方向だが中心点１８１０から同じ距離である相手方構造要素を有する。一部態様において、ファスニング部分１１０ａ，ｂは、一方のファスニングエレメント１３０ａが軸／点１８１０に関して１８０°回転しもう一方のファスニングエレメント１３０ａに重なり合うように、点１８１０を通って延びる軸に関して半径方向で対称であると説明できる。加えて、点対称又は半径方向に対称のどちらかであることにより、２つのファスニング装置１００ａ，ｂを２つの異なる向きで係合することが可能である。一部態様において、図１及び図２０に示すように、第１テープ部分１２０ａは、横方向１０４ａに平行な第１横方向に延びるようにでき、第２テープ部分１２０ｂは、第１横方向の反対である第２横方向に延びるようにできる。
【００４４】  各ファスニングエレメント１３０ａ，ｂは、エレメント幅１７１０（図１７に示す）を画成し得る。一部態様において、列３３１ａ，ｂ，３３２ａ，ｂ，３３３ａ，ｂ，３３４ａ，ｂといった各列のファスニングエレメントのエレメント幅１７１０は同じであってよい。別の態様において、エレメント幅１７１０は、列間又はファスニングエレメント１３０ａ，ｂ間で異なってもよく、ファスニング装置１００ａ，ｂは依然として点対称又は放射相称を呈し得る。
【００４５】  図１９に示すように、点対称を呈するファスニングシステム９０において、第１テープ部分１２０ａ及び第２テープ部分１２０ｂを両方とも同じ横方向１０４ａに延びるようにできる。図１９に示すファスニングシステム９０において、ファスニング装置１００ａ，ｂは、第１ファスニング装置１００ａ及び第２ファスニング装置１００ｂ両方の第２側面１１２ａ，ｂに同時にアクセスでき、従ってより容易に圧力を加えられるので、スライダーを用いずに指を使って互いに係合できる。図２０に示すように、ファスニングシステム９０は、スライダー１９１０を備え得る。同様に、異なる構成のスライダー１９１０を図１９に示すファスニングシステム９０で使用できる。また、スライダー１９１０は、限定ではなく、例えば、引き手又は人間工学的操作のための他の構造を備え得る。スライダー１９１０は、第１ファスニング装置１００ａ及び第２ファスニング装置１００ｂの両方と同時に連結でき、第２ファスニング装置１００ｂを第１ファスニング装置１００ａから、又はその逆も同様に、選択的に係合離脱させる構成にできる。
【００４６】  図２１及び図２２に示すように、第１テープ部分１２０ａといったテープ部分は、断面に波形パターンを形成できる。そのような波形パターンを画成しているテープ部分１２０ａ，ｂでは、第１側面１２１ａ及び第２側面１２２ａの両方とも起伏１２５ａ，１２６ａをそれぞれ画成でき、それらはテープ部分１２０ａ，ｂに追加の柔軟性を付与でき、その結果、両方のファスニング装置１００ａ，ｂ及び組立てられたファスニングシステム９０での曲げ半径６１０（図８に示す）を最小にすることを可能にする。起伏１２５ａ，１２６ａの各々は、それぞれ第１側面１２１ａ及び第２側面１２２ａにおける凹部であってよい。
【００４７】  図２３に示すように、補助テープ２２１０は、限定ではなく、例えば、インサート押出、同時押出、溶接、接着、縫製又は別の化学的・機械的結合方法といったプロセスによって第１テープ部分１２０ａに固定できる。一部態様において、補助テープ２２１０自体が織布又は不織布材料を備えてもよい。別の態様において、補助テープは、必要に応じて、ファスニング装置１００ａ，ｂと十分に屈曲できる金属、プラスチック又は複合材料を含む任意の他の材料であってよい。
【００４８】  参照によってその全部が援用されるフジサワらの米国特許第６８９６７５９号に示されたものを含め、ファスニング装置１００ａ，ｂ又はその構成要素を製造するための種々の方法が存在する。それらに開示されたプロセス（例えば、図２３、図２５、図２７、図２９Ａ、図２９Ｂ、図３２Ａ、及び図３３に示された押出ダイホイールを用いたプロセス）において、ファスニング装置１００ａ，ｂの各々は、ファスニングエレメント１３０ａ，ｂの成形後、しかしファスニングエレメント１３０ａ，ｂの変形を避けるためにファスニングエレメント１３０ａ，ｂをダイから取り外す前に、ファスニング装置１００ａ，ｂを形成するために使用した材料がまだ温かい間に、急速に冷却されるとしてよい。
【００４９】  一部態様において、弾性ゴム又はゴム状材料から形成されるシール１４１０ａ，ｂ、及び柔軟性だがそれほど弾性ではないプラスチック樹脂から形成されるファスニング装置１００ａ，ｂといった種々の材料から形成される特徴は、インサート成形又は同時押出しといったプロセスを用いてファスニング装置に組込むことができる。別の態様において、そのような特徴は、溶接、接着又は別の化学的・機械的結合方法を用いてファスニング装置１００ａ，ｂに組込むことができる。
【００５０】  ファスニングシステム９０を使用する方法は、第１ファスニング装置１００ａ及び第２ファスニング装置１００ｂを取得することを含むとしてよい。更に、方法は、第２ファスニング部分１１０ｂの第１側面１１１ａが第１ファスニング部分１１０ａの第１側面に対面した時に第２ファスニング装置１００ｂの第２ファスニング部分１１０ｂを第１ファスニング装置１００ａの第１ファスニング部分１１０ａに締結させることを含み得る。更に、方法は、ファスニングシステムの曲げ半径６１０を縮小させるためにファスニングシステム９０を曲げることを含み得る。一部態様において、ファスニングシステム９０の最小曲げ半径６１０は、逃げ溝１４０ａ，ｂの形状及び寸法を変えることによって調整できる。
【００５１】  特に「できる」、「できた」、「かもしれない」又は「できる」といった条件を表す言語は、一般に、特定的に別様に述べていない限り、又は使用された文脈内で別様に理解されない限り、他の態様が含まないのに対して、特定の態様が特定の特徴、要素及び／又はステップを含むことを伝えるように意図していることに留意しなければならない。従って、そのような条件を表す言語は、一般に、特徴、要素及び／又はステップが１つ以上の特定の態様に何らかの形で要求されること、又は、１つ以上の特定の態様が必ず、ユーザ入力又はプロンプトの有無にかかわらず、これらの特徴、要素及び／又はステップが任意の特定の態様において含まれるか、又は実行されるべきかどうかを決定するための論理を含むことを意味するように意図していない。
【００５２】  上述の態様は単に、実施形態の可能な実施例であるにすぎず、単に本開示の原理の明確な理解のために述べただけであることを強調しなければならない。流れ図における任意のプロセスの説明又はブロックは、プロセスにおける特定の論理的機能又はステップを具体化するための１つ以上の実行可能命令を含むモジュール、セグメント又はコード部分を表すとして理解しなければならない。また、機能がまったく含まれないか又は実行されない、又は本開示の当業者によって理解されるように、関係する機能性に応じて、ほとんど同時又は逆順を含め、図示又は説明したものとは異なる順序で実行され得る、代替実施形態が含まれる。本開示の精神及び原理を実質的に逸脱することなく、上述の態様には多くの変更及び修正が行い得る。更に、本開示の適用範囲は、上述した全部の要素、特徴及び態様の任意及び全部の組合せ及び部分組合せを包括するように意図している。全部のそうした修正及び変更が本開示の適用範囲内で本書に含まれるように意図しており、要素又はステップの個々の態様又は組合せに対する全部の可能なクレームは本開示によって支持されるように意図している。
【００５３】  本出願は、２０１７年８月２２日出願のアメリカ合衆国特許出願（１５／６８３，０８９）に基づくものであり、その内容はここに参照として取り込まれる。
【符号の説明】
【００５４】    ９０  ファスニングシステム    １００ａ  第１ファスニング装置    １００ｂ  第２ファスニング装置    １０３ａ，ｂ  縦方向    １０４ａ，ｂ  横方向    １０５ａ，ｂ  外縁端    １１０ａ，ｂ  ファスニング部分    １１１ａ，ｂ  第１側面    １１２ａ，ｂ  第２側面    １１５ａ，ｂ  ベース    １１６ａ，ｂ  ファスニングギャップ    １１８  ファスニングエレメントピッチ距離    １１９  逃げ溝ピッチ距離    １２０ａ，ｂ  テープ部分    １２１ａ，ｂ  第１側面    １２２ａ，ｂ  第２側面    １２５ａ  起伏    １２６ａ  起伏    １３０ａ，ｂ  ファスニングエレメント    １３３ａ，ｂ  係合部分    １３４ａ，ｂ  係合部分    １４０ａ，ｂ  逃げ溝    ２１０  全組立厚さ    ３０４ａ  横中心線    ３１０ａ，ｂ  内壁    ３１７  横ギャップ距離    ３２０ａ，ｂ  中間壁    ３２７  中間壁ギャップ    ３３０ａ，ｂ  外壁    ３３１ａ，ｂ  第１列    ３３２ａ，ｂ  第２列    ３３３ａ，ｂ  第３列    ３３４ａ，ｂ  第４列    ３４０ａ，ｂ  壁ギャップ    ５３０ａ，ｂ  突出中心線    ６０４  縦中心線    ６１０  最小曲げ半径    ６１６ａ，ｂ  中心線    ７１０ａ，ｂ  開放角    １３１８  分割壁ピッチ    １４１０ａ，ｂ  シール    １７１０  エレメント幅    １８１０  点    １９１０  スライダー    ２２１０  補助テープ
【図１】
2019039388.tif 000003
【図２】
2019039388.tif 000004
【図３】
2019039388.tif 000005
【図４】
2019039388.tif 000006
【図５】
2019039388.tif 000007
【図６】
2019039388.tif 000008
【図７】
2019039388.tif 000009
【図８】
2019039388.tif 000010
【図９】
2019039388.tif 000011
【図１０】
2019039388.tif 000012
【図１１】
2019039388.tif 000013
【図１２】
2019039388.tif 000014
【図１３】
2019039388.tif 000015
【図１４】
2019039388.tif 000016
【図１５】
2019039388.tif 000017
【図１６】
2019039388.tif 000018
【図１７】
2019039388.tif 000019
【図１８】
2019039388.tif 000020
【図１９】
2019039388.tif 000021
【図２０】
2019039388.tif 000022
【図２１】
2019039388.tif 000023
【図２２】
2019039388.tif 000024
【図２３】
2019039388.tif 000025
【国際調査報告】
2019039388.tif 000026
2019039388.tif 000027
2019039388.tif 000028
2019039388.tif 000029